(57)【要約】      （修正有）【課題】収納籠の一つの引出口が他の収納籠や障害物で塞がれることがあっても、受皿の引き出しができるペット収納籠を提供する。【解決手段】収納籠本体Ａの前側面２，後側面３，左側面４，右側面５のうちの少なくとも２つ側面の下部に引出口２ａ，４ａ，５ａを設け、その引出口を通して受皿Ｂを外部に引き出すことができる。【選択図】図１
0003156352.tif 000002
【実用新案登録請求の範囲】
【請求項１】
天井面（１）、前側面（２）、後側面（３）、左側面（４）、右側面（５）および底面（６）により箱状に構成される収納籠本体（Ａ）と、前記底面（６）上に設置される受皿（Ｂ）とよりなるペット用収納籠において、
前記収納籠本体（Ａ）の前、後側面（２，３）および左、右側面（４，５）のうちの少なくとも２つの側面（４，５）の下部に引出口（４ａ，５ａ）を設け、その引出口（４ａ，５ａ）を通して前記受皿（Ｂ）を外部に引き出すことができることを特徴とするペット用収納籠。
【請求項２】
前記前、後側面（２，３）および左、右側面（４，５）のうちの少なくとも２つの側面下部（４，５）には、収納籠本体（Ａ）を設置面上に設置したまま、前記受皿（Ｂ）の引き出しを阻止し、また前記受皿の引き出しを許容するストッパ部材（２３）が設けられていることを特徴とする、前記請求項１記載のペット用収納籠。
【請求項３】
前記天井面（１）の長手方向の両側縁には、天井ストッパ（１ａ）がそれぞれ一体に張り出され、それらの天井ストッパ（１ａ）は、左右側面（４，５）の上縁にそれぞれ支持されることを特徴とする、前記請求項１または２記載のペット用収納籠。
【考案の詳細な説明】
【技術分野】
【０００１】
本考案は、収納籠本体の底面に設置される受皿を引き出し可能としたペット用収納籠に関する。
【背景技術】
【０００２】
従来、収納籠本体の底面に設けられる受皿を、その収納籠本体の一側面より引き出し可能とした、小動物収納籠は公知である（後記特許文献１参照）。
【先行技術文献】
【特許文献】
【０００３】
【特許文献１】登録実用新案第３０６８１１４号公報
【考案の概要】
【考案が解決しようとする課題】
【０００４】
ところで、このような従来の小動物収納籠では、受皿の引出し側に、他の小動物収納籠や、壁などの障害物がある場合には、受皿の引出しが困難であり、また、小動物収納籠を設置面上に設置したまま、受皿の引き出しを防止するためのストッパ部材を操作できないという問題があった。
【０００５】
本考案は、上記実情に鑑みてなされたもので、収納籠本体の前、後側面および左、右側面のうちの少なくとも２つの側面から受皿の引き出しを可能とし、また、収納籠を設置面上に設置したまま受皿の引き出しを防止するためのストッパ部材を操作できるようにし、さらに、天井面が歪んだり、落ちたりすることがないように、その天井面を確実に支持できるようにした、新規なペット用収納籠を提供することを目的とする。
【課題を解決するための手段】
【０００６】
前記目的を達成するために、請求項１記載の考案は、天井面、前側面、後側面、左側面、右側面および底面により箱状に構成される収納籠本体と、前記底面上に設置される受皿とよりなるペット用収納籠において、
前記収納籠本体の前、後側面および左、右側面のうちの少なくとも２つの側面の下部に引出口を設け、その引出口を通して前記受皿を外部に引き出すことができることを特徴としている。
【０００７】
前記目的を達成するために、請求項２記載の考案は、前記請求項１のものにおいて、前記前、後側面および左、右側面のうちの少なくとも２つの側面下部には、収納籠本体を設置面上に設置したまま、前記受皿の引き出しを阻止し、また前記受皿の引き出しを許容するストッパ部材が設けられていることを特徴としている。
【０００８】
前記目的を達成するために、請求項３記載の考案は、前記請求項１または１のものにおいて、前記天井面の長手方向の両側縁には、天井ストッパがそれぞれ一体に張り出され、それらの天井ストッパは、左右側面の上縁にそれぞれ支持されることを特徴としている。
【考案の効果】
【０００９】
請求項各項記載の考案によれば、収納籠本体の前、後側面および左右側面のうちの少なくとも２つの面から受皿を外部に引き出すことができるので、収納籠の少なくとも一つの引出口が他の収納籠や障害物で塞がれることがあっても、受皿の引き出しができる。
【００１０】
また、請求項２記載の考案によれば、収納籠本体を設置面上に設置したまま、すなわち収納籠本体を動かさずに、受皿を設置位置にロックし、また、そのロックを解除するストッパ部材の操作ができる。
【００１１】
また、請求項３記載の考案によれば、天井面が歪んだり、落ちたりしないように、その天井面を側板の上縁に確実に支持することができる。
【図面の簡単な説明】
【００１２】
【図１】ペット用収納籠の全体斜視図
【図２】ペット用収納籠の分解斜視図
【図３】図１の３−３線に沿う断面図
【図４】図１の４矢視仮想線囲い部分の拡大図
【図５】図４の５−５線に沿う拡大断面図
【図６】図３の６−６線に沿う拡大断面図
【図７】受皿引き出し時の、図４と同じ図
【図８】図７の８−８線に沿う拡大断面図
【考案を実施するための形態】
【００１３】
本考案の実施の形態を、添付図面に例示した本考案の実施例に基づいて以下に具体的に説明する。
【００１４】
図１，２において、犬、猫などのペットを収納する収納籠は、箱状に形成される収納籠本体Ａと、この収納籠本体Ａ内の下部に引き出し可能に設置される受皿Ｂとよりなる。
【００１５】
収納籠本体Ａは、天井面１、前側面２、後側面３、左側面４、右側面５および底面６とより箱状に組み付けて構成されており、各側面１〜６は、鉄線などの金属線を縦、横に組み付けて四角な網状の枠体として構成される。
【００１６】
天井面１の前後縁には、前側面２と後側面３の上縁が、複数ジョイント８…によりそれぞれ開閉可能に連結される。
【００１７】
天井面１の長手方向、すなわちその左右方向の左右側縁の、前後方向の中間部には、対をなすコ字状の天井ストッパ１ａ，１ａが外側に向けて一体に張り出しており、これらの天井ストッパ１ａ，１ａは、図１に示すように、収納籠を組み付けたとき、左側面４と右側面５の上縁にそれぞれ確実に支持されて、天井面１が歪むことなく、また、ジョイント８が外れることがあっても天井面１が落ちることがなく、さらに天井面１の組み付けをし易くする。
【００１８】
また、前側面２と後側面３の下縁には、底面６の前後縁が複数のジョイント８を介して開閉可能に連結される。
【００１９】
さらに、底面６の左右縁には、複数のジョイント８…を介して左側面４と右側面５がそれぞれ開閉可能に連結される。
【００２０】
図２に明瞭に示すように、左側面４と右側面５の上縁には、２つの係止片９，９がそれぞれ一体に張り出しており、これらの係止片９，９は、天井面１の左右側面の上縁に、それぞれ係合して左側面２および右側面３を起立位置（組立位置）に保持する。
【００２１】
図１〜３に示すように、前側面２の中間部には、出入口１１が開口され、この出入口１１には、そこを開閉する開閉扉１２がヒンジ連結１３される。開閉扉１２には、前側面２の係止孔１４に抜き差し可能なロック棒１５が移動可能に設けられる。また、左側面４の中間部には、他の出入口１７が開口され、この他の出入口１７には、そこを開閉する開閉扉１８がヒンジ連結１９される。開閉蓋１８には、左側面４の係止孔２０に抜き差し可能なロック棒２１が移動可能に設けられる。そして、開閉扉１２，１８を開閉することにより収納籠に犬、猫などのペットの出し入れをすることができる。
【００２２】
前記底面６は凹状に形成されていて、その上面にトレイ状の受皿Ｂが出し入れ可能に設置される。底面６の前、後縁および左、右縁には、引出口２ａ，３ａおよび４ａ，５ａがそれぞれ開口され、これらの引出口２ａ，３ａおよび４ａ，５ａを通して受皿Ｂの、底板６への出し入れが可能である。左右方向に長い引出口２ａ，３ａの両端部は、底面６の鉄線より一体に延びる補強線ｒ，ｒによりそれぞれ補強されている。
【００２３】
前、後側面２，３および左、右側面４，５の下部には、引出口２ａ，３ａおよび４ａ，５ａに対応して受皿Ｂの引き出しを防止するストッパ部材２３がそれぞれ設けられる。これらのストッパ部材２３は、いずれも同じ構造であるので、以下に、図４，５および図７，８を参照して左側面４に設けられるストッパ部材２３について説明する。
【００２４】
ストッパ部材２３は、線体により正面視Ｕ字状に形成されて、その左右上端にループ状の引掛部２３ａが形成され、その引掛部２３ａが左側面４の下部の横方向の線体４ｂに昇降かつ回動可能に支持されている。ストッパ部材２３が図４，５に示すように下降位置にあるとき、そのストッパ部材２３は、その下部が引出口４ａと交叉するストップ位置に保持されて受皿Ｂの引き出しを防止し、また、ストッパ部材２３が図７，８に示すように、上昇位置に持ち上げられたときに、そのストッパ部材２３は、ストップ解除位置に保持されて引出口４ａから離れて、受皿Ｂを引出口４ａを通して外部に引き出すことができる。図５，８に示すように、ストッパ部材２３のループ状の引掛部２３ａには、絞り部２３ｂが形成されており、この絞り部２３ｂを線体４ｂに係合させることによりストッパ部材２３を上昇位置に係止することができ、また、ストッパ部材２３は下向きに押すことで下降させることができる。
【００２５】
つぎに、この実施例の作用について説明する。
【００２６】
この実施例では、収納籠の四方、すなわち前側面２、後側面３、左側面４および右側面５の、いずれの側面からも受皿Ｂを引き出すことができ、たとえば、図４，５および図７，８を参照して、収納籠の左側面４から受皿Ｂを引き出す場合を説明すると、ストッパ部材２３を持ち上げて引出口４ａを開放し、受皿Ｂを外部に引き出すことができる（図７，８参照）。また受皿Ｂの清掃処理などをしたのち、受皿Ｂを元の位置に戻し、ストッパ部材２３を下降させれば、このストッパ部材２３は、引出口４ａと交叉してストップ位置となり、受皿Ｂの引き出しが阻止される（図４，５参照）。
【００２７】
しかして、前述のストッパ部材２３のロック操作（下降操作）およびロック解除操作（上昇操作）は、収納籠を設置面上に設置したまま、すなわち、これを持ち上げずに行うことができる。
【００２８】
以上、本考案の実施例について説明したが、本考案は、その実施例に限定されることなく、本考案の請求の範囲内で種々の実施例が可能である。
【００２９】
たとえば、前記実施例では、収納籠の前、後および左、右の４つの側面から受皿を引き出すようにしているが、それらのうちの２つの側面あるいは３つの側面から受皿を引き出すようにしてもよい。
【符号の説明】
【００３０】
１・・・・・・・・・天井面
１ａ・・・・・・・・・天井ストッパ
２・・・・・・・・・前側面
２ａ・・・・・・・・・引出口
３・・・・・・・・・後側面
３ａ・・・・・・・・・引出口
４・・・・・・・・・左側面
４ａ・・・・・・・・・引出口
５・・・・・・・・・右側面
５ａ・・・・・・・・・引出口
２３・・・・・・・・・ストッパ部材
Ａ・・・・・・・・・収納籠本体
Ｂ・・・・・・・・・受皿                                      
【図１】
0003156352.tif 000003
【図２】
0003156352.tif 000004
【図３】
0003156352.tif 000005
【図４】
0003156352.tif 000006
【図５】
0003156352.tif 000007
【図６】
0003156352.tif 000008
【図７】
0003156352.tif 000009
【図８】
0003156352.tif 000010